(57)【特許請求の範囲】
【請求項１】
店舗内に配設された複数のＰＯＳターミナルと，各ＰＯＳターミナルから店内データ通信回線網を介して直接または間接的に取得した各売上情報を店舗ファイルに記憶しつつ管理するストアサーバとを有する商品販売データ処理システムにおいて、
前記ストアサーバに全店データ通信回線網を介して各店舗ＩＤおよび各店舗パスワードの管理機能を有する本部Ｗｅｂサーバを接続するとともに、前記店内データ通信回線網に各個人ＩＤおよび各個人パスワードの管理機能を有する店舗Ｗｅｂサーバおよびクライアント機を接続し、
本部Ｗｅｂサーバが、前記各ストアサーバから取得した店舗売上情報を含む店舗情報をクライアント機のブラウザーを介して閲覧可能な全店舗情報にデータ処理加工して格納可能であるとともに、クライアント機からのアクセスに対して当該店舗ＩＤおよび店舗パスワードを承認するか否かを判別可能かつ承認するとの判別をした場合に当該クライアント機に全店舗情報を開示可能に形成され、
店舗Ｗｅｂサーバが、当該ストアサーバから取得した店舗売上情報を含む店舗情報をクライアント機のブラウザーを介して閲覧可能な個別店舗情報にデータ処理加工して格納可能であるとともに、クライアント機からのアクセスに対して当該個人ＩＤおよび個人パスワードを承認するか否かを判別可能かつ承認するとの判別をした場合に当該クライアント機に個別店舗情報を開示可能に形成され、
クライアント機が、ブラウザーを介した全店舗情報を閲覧するための本部Ｗｅｂサーバへのアクセスに際して店舗ＩＤおよび店舗パスワードを入力可能かつブラウザーを介した個別店舗情報を閲覧するための店舗Ｗｅｂサーバへのアクセスに際して個人ＩＤおよび個人パスワードを入力可能に形成された、商品販売データ処理システム。
【請求項２】
前記個別店舗情報が責任者用情報および社員用情報から形成されている請求項１記載の商品販売データ処理システム。
【請求項３】
店舗内に配設された複数のＰＯＳターミナルと，各ＰＯＳターミナルから店内データ通信回線網を介して直接または間接的に取得した各売上情報を店舗ファイルに記憶しつつ管理するストアサーバとを有する商品販売データ処理システムにおいて、
前記ストアサーバに全店データ通信回線網を介して本部Ｗｅｂサーバを接続するとともに、前記店内データ通信回線網に店舗Ｗｅｂサーバおよびクライアント機を接続し、
本部Ｗｅｂサーバに、前記各ストアサーバから取得した店舗売上情報を含む店舗情報をクライアント機のブラウザーを介して閲覧可能な全店舗情報にデータ処理加工する全店舗情報加工処理手段と，加工された全店舗情報を格納可能な全店舗情報ファイルと，各店舗の店舗ＩＤおよび店舗パスワードを記憶可能な店舗承認ファイルと，クライアント機からのアクセスに対して店舗承認ファイルを参照して当該クライアント機から取得した店舗ＩＤおよび店舗パスワードを承認するか否かを判別する店舗承認判別手段と，承認すると判別された場合に全店舗情報ファイルに格納されている全店舗情報を当該クライアント機に開示する店舗承認後情報開示手段とを設け、
店舗Ｗｅｂサーバに、当該ストアサーバから取得した店舗売上情報を含む店舗情報をクライアント機のブラウザーを介して閲覧可能な責任者用情報にデータ処理加工する責任者用情報加工処理手段および社員用情報にデータ処理加工する社員用情報加工処理手段と，加工された責任者用情報を格納可能な責任者用情報ファイルおよび加工された社員用情報を格納可能な社員用情報ファイルと，責任者および各社員の個人ＩＤおよび個人パスワードを記憶可能な個人承認ファイルと，クライアント機からのアクセスに対して個人承認ファイルを参照して当該クライアント機から取得した個人ＩＤおよび個人パスワードを承認するか否かを判別する個人承認判別手段と，承認すると判別された場合に責任者用情報ファイルに格納されている責任者用情報または社員用情報ファイルに格納されている社員用情報を当該クライアント機に開示する個人承認後情報開示手段とを設け、
クライアント機に、ブラウザーを介した全店舗情報を閲覧するための本部Ｗｅｂサーバへのアクセスに際して店舗ＩＤおよび店舗パスワードを入力するための店舗ＩＤ等入力手段と，ブラウザーを介した責任者用情報および社員用情報を閲覧するための店舗Ｗｅｂサーバへのアクセスに際して個人ＩＤおよび個人パスワードを入力するための個人ＩＤ等入力手段とを設けた、商品販売データ処理システム。
【請求項４】
前記本部Ｗｅｂサーバ側の店舗承認後情報開示手段が、前記クライアント機から取得した店舗ＩＤおよび店舗パスワードが承認された場合でかつその後に当該クライアント機から前記個人ＩＤおよび個人パスワードが入力された場合に当該店舗Ｗｅｂサーバ側の承認を得て前記責任者用情報ファイルに格納されている前記責任者用情報を当該クライアント機に開示可能に形成されている請求項３記載の商品販売データ処理システム。
【請求項５】
前記各店舗Ｗｅｂサーバ側の個人承認後情報開示手段が、前記クライアント機から取得した個人ＩＤおよび個人パスワードが承認された場合でかつその後に当該クライアント機から前記店舗ＩＤおよび店舗パスワードが入力された場合に前記本部Ｗｅｂサーバ側の承認を得て前記全店舗情報ファイルに格納されている全店舗情報を当該クライアント機に開示可能に形成されている請求項３記載の商品販売データ処理システム。
【請求項６】
前記全店舗情報加工処理手段が、前記全店データ通信回線網および店内データ通信回線網を介して前記各店舗Ｗｅｂサーバから取得した前記責任者用情報および社員用情報の全部または一部を利用して前記全店舗情報を加工処理可能に形成されている請求項３から請求項５のいずれか１項に記載された商品販売データ処理システム。
【発明の詳細な説明】
【０００１】
【発明の属する技術分野】
本発明は、店舗内に配設された複数のＰＯＳターミナルと，各ＰＯＳターミナルから店内データ通信回線網を介して直接または間接的に取得した各売上情報を店舗ファイルに記憶しつつ管理するストアサーバとを有する商品販売データ処理システムに関する。
【０００２】
【従来の技術】
図１４において、商品販売データ処理システムは、店舗内に配設された複数のＰＯＳターミナル（例えば、電子キャッシュレジスタ）１０と，各ＰＯＳターミナル１０を直接に管理するＰＯＳサーバ２０と，各ＰＯＳサーバ２０を介して各ＰＯＳターミナル１０を間接的に一括管理するストアサーバ３０から構成されている。この図１４では、各ＰＯＳサーバ２０とストアサーバ３０とが、各ＰＯＳターミナル１０の上位機となる。なお、１，２は、店舗内データ通信回線網（例えば、ＬＡＮ）である。
【０００３】
かかる商品販売データ処理システムでは、各ＰＯＳターミナル１０が、上位機（例えば、ＰＯＳサーバ２０）内の商品ファイルから商品データを得て、商品登録しかつ会計処理する。商品データおよび会計処理データは、各ＰＯＳターミナル１０の表示器に表示され、プリンタでジャーナル，レシートに印刷される。合計金額や釣銭額が算出され、ドロワが自動開放される。
【０００４】
したがって、商品データおよび会計処理データを分析すれば、複雑な商品販売業務，会計処理業務を正確かつ迅速に行なえるとともに、上位機（２０，３０）側において、店舗売上情報（商品データおよび会計処理データ）を分析すれば、店舗販売実績等を掌握できる。
【０００５】
さらに、大規模チェーン店では、本部内の本部機（ホストコンピュータ）４０に各店舗内のストアサーバ３０を全店データ通信回線網（例えば、ＩＳＤＮ）３を介して接続し、本部機４０が各ストアサーバ３０から店舗売上情報（商品データおよび会計処理データ）や例えば人事情報等を含む店舗情報を収集して一括管理可能に形成されている。例えば、全店舗情報として管理する。
【０００６】
かくして、本部機４０で収集した各ストアサーバ３０ごとの各店舗情報やこれらに必要なデータ処理加工を施して作成された全店舗情報を、各店舗で参照したいとの要請がある。そこで、本部機４０をいわゆるＷｅｂサーバとしかつ店舗機（３０，２０または各１０等）側のブラウザーで各店舗情報や全店舗情報を閲覧可能に形成されたシステムが普及しつつある。
【０００７】
【発明が解決しようとする課題】
ところで、その有用性から普及拡大に伴い各店舗情報をリアルタイム的に迅速に閲覧したいとの要請が強くなって来ている。一方において、閲覧可能範囲を店長等の経営責任者や一般の社員によって、規制すべきとの指摘も強い。これに関しては、クライアント機（３０，２０または各１０等）でＩＤおよびパスワードを入力させ、Ｗｅｂサーバ（４０）で承認したＩＤおよびパスワードに対応する範囲内の情報を当該クライアントに閲覧可能に形成している。
【０００８】
しかし、その有用性が一段と強く支持されかつ一段と店舗数が増大する傾向にある現在では、Ｗｅｂサーバ（４０）側の膨大なＩＤおよびパスワードのメンテナンスを含むセキュリティ処理および本部機機能の負担が増大し、各クライアントが必要時に全店舗および／または各店舗の情報を閲覧できないばかりか、店舗機（３０）と本部機４０とのデータ処理負担が大幅に増大するために本来的な店舗情報の送受信に支障が生じる事態が起こることがある。また、全店データ通信回線網の混雑や設備コスト高を招く要因となりつつある。
【０００９】
本発明の目的は、本部Ｗｅｂサーバの負担を軽減しつつ各店舗機側で全店舗情報および各店舗情報を何時でも閲覧可能な商品販売データ処理システムを提供することにある。
【００１０】
【課題を解決するための手段】
請求項１の発明は、店舗内に配設された複数のＰＯＳターミナルと，各ＰＯＳターミナルから店内データ通信回線網を介して直接または間接的に取得した各売上情報を店舗ファイルに記憶しつつ管理するストアサーバとを有する商品販売データ処理システムにおいて、前記ストアサーバに全店データ通信回線網を介して各店舗ＩＤおよび各店舗パスワードの管理機能を有する本部Ｗｅｂサーバを接続するとともに、前記店内データ通信回線網に各個人ＩＤおよび各個人パスワードの管理機能を有する店舗Ｗｅｂサーバおよびクライアント機を接続し、本部Ｗｅｂサーバが、前記各ストアサーバから取得した店舗売上情報を含む店舗情報をクライアント機のブラウザーを介して閲覧可能な全店舗情報にデータ処理加工して格納可能であるとともに、クライアント機からのアクセスに対して当該店舗ＩＤおよび店舗パスワードを承認するか否かを判別可能かつ承認するとの判別をした場合に当該クライアント機に全店舗情報を開示可能に形成され、店舗Ｗｅｂサーバが、当該ストアサーバから取得した店舗売上情報を含む店舗情報をクライアント機のブラウザーを介して閲覧可能な個別店舗情報にデータ処理加工して格納可能であるとともに、クライアント機からのアクセスに対して当該個人ＩＤおよび個人パスワードを承認するか否かを判別可能かつ承認するとの判別をした場合に当該クライアント機に個別店舗情報を開示可能に形成され、クライアント機が、ブラウザーを介した全店舗情報を閲覧するための本部Ｗｅｂサーバへのアクセスに際して店舗ＩＤおよび店舗パスワードを入力可能かつブラウザーを介した個別店舗情報を閲覧するための店舗Ｗｅｂサーバへのアクセスに際して個人ＩＤおよび個人パスワードを入力可能に形成された、商品販売データ処理システムである。
【００１１】
かかる発明では、ストアサーバには全店データ通信回線網を介して各店舗ＩＤおよび各店舗パスワードの管理機能を有する本部Ｗｅｂサーバが接続されかつ店内データ通信回線網に各個人ＩＤおよび各個人パスワードの管理機能を有する店舗Ｗｅｂサーバおよびクライアント機が接続されている。
【００１２】
この本部Ｗｅｂサーバは、各ストアサーバから取得した店舗売上情報を含む店舗情報をクライアント機のブラウザーを介して閲覧可能な全店舗情報にデータ処理加工して格納するとともに、クライアント機からのアクセスに対して当該店舗ＩＤおよび店舗パスワードを承認するか否かを判別しかつ承認するとの判別をした場合に当該クライアント機に全店舗情報を開示する。
【００１３】
また、店舗Ｗｅｂサーバは、当該ストアサーバから取得した店舗売上情報を含む店舗情報をクライアント機のブラウザーを介して閲覧可能な個別店舗情報にデータ処理加工して格納するとともに、クライアント機からのアクセスに対して当該個人ＩＤおよび個人パスワードを承認するか否かを判別しかつ承認するとの判別をした場合に当該クライアント機に個別店舗情報を開示する。
【００１４】
ブラウザーを介した全店舗情報を閲覧するためには、クライアント機から本部Ｗｅｂサーバへのアクセスに際して、当該クライアント機において店舗ＩＤおよび店舗パスワードを入力する。また、ブラウザーを介した個別店舗情報を閲覧するためには、クライアント機から店舗Ｗｅｂサーバへのアクセスに際して、当該クライアント機において個人ＩＤおよび個人パスワードを入力する。
【００１５】
したがって、店舗ＩＤ・店舗パスワードおよび個人ＩＤ・個人パスワードのメンテナンスや承認処理や全店舗情報および個別店舗情報のデータ処理加工を本部Ｗｅｂサーバと店舗Ｗｅｂサーバとで分散処理できるから、本部Ｗｅｂサーバ側では数の少ない店舗ＩＤおよび店舗パスワードのメンテナンスや承認処理を含むセキュリティ処理を行えばよいのでその負担を大幅に軽減できるとともに、各クライアント機が必要時に全店舗情報および／または個別店舗情報を閲覧できかつ当該個別店舗情報についてはリアルタイム的に閲覧できるから有用性を一段と高められる。しかも、店舗機と本部機との本来的な店舗情報の円滑な送受信を担保でき、全店データ通信回線網の混雑や設備コスト高を招く虞を一掃化できる。
【００１６】
また、請求項２の発明は、前記個別店舗情報が責任者用情報および社員用情報から形成された商品販売データ処理システムである。
【００１７】
かかる発明では、店舗Ｗｅｂサーバは、当該ストアサーバから取得した店舗売上情報を含む店舗情報をクライアント機のブラウザーを介して閲覧可能な責任者用情報および社員用情報にデータ処理加工して格納するとともに、クライアント機からのアクセスに対して当該個人ＩＤおよび個人パスワードを承認するか否かを判別しかつ承認するとの判別をした場合に当該クライアント機に承認した個人ＩＤおよび個人パスワードに対応する責任者用情報または社員用情報を開示する。
【００１８】
したがって、請求項１の発明の場合と同様な作用効果を奏することができることに加え、さらに各店舗内におけるセキュリティ保護の万全を期することができかつ適応性を拡大できる。
【００１９】
また、請求項３の発明は、店舗内に配設された複数のＰＯＳターミナルと，各ＰＯＳターミナルから店内データ通信回線網を介して直接または間接的に取得した各売上情報を店舗ファイルに記憶しつつ管理するストアサーバとを有する商品販売データ処理システムにおいて、前記ストアサーバに全店データ通信回線網を介して本部Ｗｅｂサーバを接続するとともに、前記店内データ通信回線網に店舗Ｗｅｂサーバおよびクライアント機を接続し、本部Ｗｅｂサーバに、前記各ストアサーバから取得した店舗売上情報を含む店舗情報をクライアント機のブラウザーを介して閲覧可能な全店舗情報にデータ処理加工する全店舗情報加工処理手段と，加工された全店舗情報を格納可能な全店舗情報ファイルと，各店舗の店舗ＩＤおよび店舗パスワードを記憶可能な店舗承認ファイルと，クライアント機からのアクセスに対して店舗承認ファイルを参照して当該クライアント機から取得した店舗ＩＤおよび店舗パスワードを承認するか否かを判別する店舗承認判別手段と，承認すると判別された場合に全店舗情報ファイルに格納されている全店舗情報を当該クライアント機に開示する店舗承認後情報開示手段とを設け、店舗Ｗｅｂサーバに、当該ストアサーバから取得した店舗売上情報を含む店舗情報をクライアント機のブラウザーを介して閲覧可能な責任者用情報にデータ処理加工する責任者用情報加工処理手段および社員用情報にデータ処理加工する社員用情報加工処理手段と，加工された責任者用情報を格納可能な責任者用情報ファイルおよび加工された社員用情報を格納可能な社員用情報ファイルと，責任者および各社員の個人ＩＤおよび個人パスワードを記憶可能な個人承認ファイルと，クライアント機からのアクセスに対して個人承認ファイルを参照して当該クライアント機から取得した個人ＩＤおよび個人パスワードを承認するか否かを判別する個人承認判別手段と，承認すると判別された場合に責任者用情報ファイルに格納されている責任者用情報または社員用情報ファイルに格納されている社員用情報を当該クライアント機に開示する個人承認後情報開示手段とを設け、クライアント機に、ブラウザーを介した全店舗情報を閲覧するための本部Ｗｅｂサーバへのアクセスに際して店舗ＩＤおよび店舗パスワードを入力するための店舗ＩＤ等入力手段と，ブラウザーを介した責任者用情報および社員用情報を閲覧するための店舗Ｗｅｂサーバへのアクセスに際して個人ＩＤおよび個人パスワードを入力するための個人ＩＤ等入力手段とを設けた、商品販売データ処理システムである。
【００２０】
かかる発明では、ストアサーバには全店データ通信回線網を介して各店舗ＩＤおよび各店舗パスワードの管理機能を有する本部Ｗｅｂサーバが接続されかつ店内データ通信回線網に各個人ＩＤおよび各個人パスワードの管理機能を有する店舗Ｗｅｂサーバおよびクライアント機が接続されている。
【００２１】
この本部Ｗｅｂサーバでは、全店舗情報加工処理手段が、各ストアサーバから取得した店舗売上情報を含む店舗情報をクライアント機のブラウザーを介して閲覧可能な全店舗情報にデータ処理加工する。この加工された全店舗情報は、全店舗情報ファイルに格納される。
【００２２】
店舗承認判別手段は、クライアント機からのアクセスに対して店舗承認ファイルを参照して、当該クライアント機から取得した店舗ＩＤおよび店舗パスワードを承認するか否かを判別する。当該店舗ＩＤおよび店舗パスワードを承認すると判別された場合に、店舗承認後情報開示手段が、当該クライアント機に全店舗情報ファイルに格納されている全店舗情報を開示する。
【００２３】
また、店舗Ｗｅｂサーバでは、当該ストアサーバから店舗売上情報を含む店舗情報を取得すると、責任者用情報加工処理手段が、クライアント機のブラウザーを介して閲覧可能な責任者用情報にデータ処理加工する。加工された責任者用情報は、責任者用情報ファイルに格納される。また、社員用情報加工処理手段は、社員用情報にデータ処理加工する。加工された社員用情報は社員用情報ファイルに格納される。
【００２４】
個人承認判別手段は、クライアント機からのアクセスに対して個人承認ファイルを参照して当該クライアント機から取得した個人ＩＤおよび個人パスワードを承認するか否かを判別する。承認すると判別された場合に、個人承認後情報開示手段は、承認された個人ＩＤおよび個人パスワードに対応する個別店舗情報つまり責任者用情報ファイルに格納されている責任者用舗情報または社員用情報ファイルに格納されている社員用情報を当該クライアント機に開示する。
【００２５】
ブラウザーを介した全店舗情報を閲覧するためには、クライアント機から本部Ｗｅｂサーバへのアクセスに際して、当該クライアント機内の店舗ＩＤ等入力手段を用いて店舗ＩＤおよび店舗パスワードを入力する。また、ブラウザーを介した個別店舗情報を閲覧するためには、クライアント機から店舗Ｗｅｂサーバへのアクセスに際して、当該クライアント機内の個人ＩＤ等入力手段を用いて個人ＩＤおよび個人パスワードを入力する。
【００２６】
したがって、店舗ＩＤ・店舗パスワードおよび個人ＩＤ・個人パスワードのメンテナンスや承認処理や全店舗情報および個別店舗情報のデータ処理加工を本部Ｗｅｂサーバと店舗Ｗｅｂサーバとで分散処理できるから、本部Ｗｅｂサーバ側では数の少ない店舗ＩＤおよび店舗パスワードのメンテナンスや承認処理を含むセキュリティ処理を行えばよいのでその負担を大幅に軽減できる。また、各クライアント機が必要時に全店舗情報および／または個別店舗情報を閲覧できかつ当該個別店舗情報についてはリアルタイム的に閲覧できるから有用性を一段と高められるとともに、店舗ＩＤ等入力手段を用いて店舗ＩＤ等および個人ＩＤ等入力手段を用いて個人ＩＤ等を入力するだけでよいから、取扱いが簡単である。しかも、店舗機と本部機との本来的な店舗情報の円滑な送受信を担保でき、全店データ通信回線網の混雑や設備コスト高を招く虞を一掃化できる。
【００２７】
さらに、請求項４の発明は、前記本部Ｗｅｂサーバ側の店舗承認後情報開示手段が、前記クライアント機から取得した店舗ＩＤおよび店舗パスワードが承認された場合でかつその後に当該クライアント機から前記個人ＩＤおよび個人パスワードが入力された場合に当該店舗Ｗｅｂサーバ側の承認を得て前記責任者用情報ファイルに格納されている前記責任者用情報を当該クライアント機に開示可能に形成された商品販売データ処理システムである。
【００２８】
かかる発明では、本部Ｗｅｂサーバ側の店舗承認後情報開示手段は、クライアント機から取得した店舗ＩＤおよび店舗パスワードが承認された後に、当該クライアント機から個人ＩＤおよび個人パスワードが入力された場合には当該店舗Ｗｅｂサーバ側の承認を得て責任者用情報ファイルに格納されている責任者用情報を当該クライアント機に開示することができる。つまり、クライアント機において、本部Ｗｅｂサーバとの接続を解いた後に改めて店舗Ｗｅｂサーバへアクセスしなくてもよい。
【００２９】
したがって、請求項３の発明の場合と同様な作用効果を奏することができることに加え、さらに責任者は本部Ｗｅｂサーバ側の全店舗情報および店舗Ｗｅｂサーバ側の責任者用情報を例えば同一画面上で連続的に閲覧することができる。
【００３０】
さらに、請求項５の発明は、前記各店舗Ｗｅｂサーバ側の個人承認後情報開示手段が、前記クライアント機から取得した個人ＩＤおよび個人パスワードが承認された場合でかつその後に当該クライアント機から前記店舗ＩＤおよび店舗パスワードが入力された場合に前記本部Ｗｅｂサーバ側の承認を得て前記全店舗情報ファイルに格納されている全店舗情報を当該クライアント機に開示可能に形成された商品販売データ処理システムである。
【００３１】
かかる発明では、店舗Ｗｅｂサーバ側の個人承認後情報開示手段は、クライアント機から取得した個人ＩＤおよび個人パスワードが承認された後に、当該クライアント機から店舗ＩＤおよび店舗パスワードが入力された場合には本部Ｗｅｂサーバ側の承認を得て全店舗情報ファイルに格納されている全店舗情報を当該クライアント機に開示することができる。つまり、クライアント機において、店舗Ｗｅｂサーバとの接続を解いた後に改めて本部Ｗｅｂサーバへアクセスしなくてもよい。
【００３２】
したがって、請求項４の発明の場合と同様な作用効果を奏することができることに加え、さらに責任者は店舗Ｗｅｂサーバ側の責任者用情報および本部Ｗｅｂサーバ側の全店舗情報を例えば同一画面上で連続的に閲覧することができる。
【００３３】
さらにまた、請求項６の発明は、前記全店舗情報加工処理手段が、前記全店データ通信回線網および店内データ通信回線網を介して前記各店舗Ｗｅｂサーバから取得した前記責任者用情報および社員用情報の全部または一部を利用して前記全店舗情報を加工処理可能に形成された商品販売データ処理システムである。
【００３４】
かかる発明では、本部Ｗｅｂサーバ側の全店舗情報加工処理手段は、全店データ通信回線網および店内データ通信回線網を介して各店舗Ｗｅｂサーバから取得した責任者用情報および社員用情報の全部または一部を利用して、全店舗情報に加工処理することができる。つまり、ストアサーバ側から取得した生の各店舗情報から全店舗情報に加工するのでなく、生の各店舗情報を各店舗Ｗｅｂサーバ側において半加工された責任者用情報および社員用情報の全部（または、一部）を利用して、全店舗情報に加工すればよい。例えば、全店舗時間帯別売上情報は、各店舗Ｗｅｂサーバ側で集計等された時間帯別売上情報をそのまま合計するだけでよくなる。
【００３５】
したがって、請求項３から請求項５までの各発明の場合と同様な作用効果を奏することができることに加え、さらに全店舗情報加工処理手段つまりは本部Ｗｅｂサーバの処理負担をより大幅に軽減できるとともに、情報開示の急速化および正確性を促進できる。
【００３６】
【発明の実施の形態】
以下、本発明の実施形態について図面を参照して説明する。
本商品販売データ処理システムは、図１に示す如く、基本的構成（１０，２０，３０等）が従来例の場合（図１４）と同様とされているが、さらにストアサーバ３０に全店データ通信回線網３を介して本部Ｗｅｂサーバ（４０）を接続するとともに店内データ通信回線網２に店舗Ｗｅｂサーバ５０およびクライアント機２５を接続し、本部Ｗｅｂサーバ（４０）に全店舗情報加工処理手段と，全店舗情報ファイル４５と，店舗承認ファイル４１と，店舗承認判別手段と，店舗承認後情報開示手段とを設け、店舗Ｗｅｂサーバに責任者用情報加工処理手段および社員用情報加工処理手段と，責任者用情報ファイル５５および社員用情報ファイル５６と，個人承認ファイル５１と，個人承認判別手段と，個人承認後情報開示手段とを設け、さらにクライアント機２５に店舗ＩＤ等入力手段２６と，個人ＩＤ等入力手段２７とを設け、各店舗内のクライアント機２５においてＩＤおよびパスワードを入力するだけで、本部Ｗｅｂサーバ（４０）側の全店舗情報および店舗Ｗｅｂサーバ側の個別店舗情報（責任者用情報および社員用情報）を閲覧可能に形成されている。
【００３７】
図１において、ＰＯＳターミナル１０は、制御部（ＣＰＵ，ＲＯＭ，ＲＡＭ等），ＨＤＤ，スキャナ，キーボード，表示器，プリンタ，その他の入出力装置およびデータ通信回線網１用の通信インターフェイス（Ｉ／Ｆ）を含み、商品登録，会計処理機能を有する。この実施形態では、ＰＯＳサーバ（上位機）２０の商品ファイルに設定記憶されている商品データ（商品名，単価等）を得て商品登録する。
【００３８】
また、ＰＯＳサーバ２０は、制御部（ＣＰＵ，ＲＯＭ，ＲＡＭ），ＨＤＤおよび各データ通信回線網１，２用の各通信インターフェイス（Ｉ／Ｆ）を含み、管轄する複数のＰＯＳターミナル１０についての直接的な上位機を形成する。
【００３９】
ストアサーバ３０は、制御部（ＣＰＵ，ＲＯＭ，ＲＡＭ等），ＨＤＤおよび各データ通信回線網２，３用の各通信インターフェイス（Ｉ／Ｆ）を含み、店舗内の全ＰＯＳサーバ２０を直接的に一括管理し、結果として全ＰＯＳターミナル１０を間接的に一括管理する。
【００４０】
ここに、店舗Ｗｅｂサーバ５０は、制御部（ＣＰＵ，ＲＯＭ，ＲＡＭ），ＨＤＤおよび店内データ通信回線網２用の通信インターフェイス（Ｉ／Ｆ）を含み、当該店舗内に配設されている。
【００４１】
クライアント機２５は、制御部（ＣＰＵ，ＲＯＭ，ＲＡＭ等），ＨＤＤ，スキャナ，キーボード，表示器２８，プリンタおよびデータ通信回線網２用の通信インターフェイス（Ｉ／Ｆ）を含むパーソナルコンピュータから形成され、ブラウザーが搭載されている。
【００４２】
本部Ｗｅｂサーバ（本部機４０）は、制御部（ＣＰＵ，ＲＯＭ，ＲＡＭ），ＨＤＤおよび全店データ通信回線網３用の通信インターフェイス（Ｉ／Ｆ）を含み、当該各店舗を含む同一チェーン店（各店舗）に共通に設けてある。概念的には、図１に示すように店舗機（３０，２０，２５）に接続されている。
【００４３】
ここにおいて、各ＰＯＳターミナル１０は、オペレータがスキャナを用いて商品コードを入力すると、問合せ手段が、当該顧客コードを付してＰＯＳサーバ２０に問合せる。
【００４４】
ＰＯＳサーバ２０は、ＰＯＳターミナル（ＴＭ）１０からの問合せを受信（図２のＳＴ１４でＹＥＳ）すると、商品ファイルを参照（ＳＴ１５）して当該商品コードに対応する商品データ（商品情報）を当該ＰＯＳターミナル１０に応答する（ＳＴ１６，ＳＴ１７）。商品ファイルは、ストアサーバ３０から取得した商品マスターファイルの内容に更新されている（ＳＴ１８のＹＥＳ〜ＳＴ２１）。
【００４５】
当該ＰＯＳターミナル１０は、商品データを受信すると、これを用いて登録手段が商品登録する。当該客の全ての買上商品についての商品登録が終了したら、１取引終了宣言としての締め操作をする。これにより会計処理が実行される。レシートも発行される。
【００４６】
また、ＰＯＳサーバ２０は、各ＰＯＳターミナル１０から収集した売上情報をグループファイルに記憶する（図２のＳＴ１０のＹＥＳ〜ＳＴ１３）とともに、ストアサーバ３０からの要求に応えて各グループの売上情報を送信する（ＳＴ２２のＹＥＳ〜ＳＴ２４）。
【００４７】
すなわち、ストアサーバ（ＳＡ）３０は、各ＰＯＳサーバ（ＰＯＳ）２０から取得した各売上情報を店舗ファイル３１に店舗売上情報として記憶しておく（図３のＳＴ３０でＹＥＳ〜ＳＴ３３）。なお、各ＰＯＳサーバ（ＰＯＳ）２０から要求に応えて商品マスターファイルを当該各ＰＯＳサーバ（ＰＯＳ）２０へ提供する（ＳＴ３４のＹＥＳ〜ＳＴ３６）。
【００４８】
また、ストアサーバ（ＳＡ）３０は、当該店舗Ｗｅｂサーバ（店舗Ｗｅｂ）５０からの要求により店舗ファイル３１に記憶されていた店舗売上情報を含む店舗情報を応答する（図３のＳＴ３７でＹＥＳ〜ＳＴ３９）。同様に、本部Ｗｅｂサーバ［本部Ｗｅｂ（本部機４０）］からの要求により店舗ファイル３１に記憶されていた店舗売上情報を含む店舗情報を応答する（図３のＳＴ４０でＹＥＳ〜ＳＴ４２）。
【００４９】
ここに、クライアント機２５は、図６に示す入力画面（ユーザー認証画面）にしたがってかつ個人ＩＤ等入力手段２６を用いて個人ＩＤおよび個人パスワードを入力（図５のＳＴ６０でＹＥＳ）すると、制御部が店舗Ｗｅｂサーバ５０にアクセス（問合せ）する（ＳＴ６１）。
【００５０】
店舗Ｗｅｂサーバ５０では、クライアント機２５からの要求を受けかつ当該個人ＩＤおよび個人パスワードを取得する（図８のＳＴ７０でＹＥＳ，ＳＴ７１）と、個人承認判別手段（制御部）が、個人承認ファイル５１を参照（ＳＴ７２）して個人の承認を判別する（ＳＴ７３，ＳＴ７６）。
【００５１】
責任者用として承認された場合（ＳＴ７３のＹＥＳ）は、責任者用情報ファイル５５に記憶されている責任者用情報を当該クライアント機２５に開示する個人承認後情報開示手段（責任者用Ｗｅｂ機能）が働く（ＳＴ７４，ＳＴ７５）。社員用として承認された場合（ＳＴ７６のＹＥＳ）は、社員用情報ファイル５６に記憶されている社員用情報を当該クライアント機２５に開示する個人承認後情報開示手段（社員用Ｗｅｂ機能）が働く（ＳＴ７７，ＳＴ７８）。なお、承認できないときは、閲覧を拒絶（ＳＴ７９）する。
【００５２】
かくして、クライアント機２５側のブラウザーを介して個別店舗情報（責任者用情報または社員用情報）を閲覧することができる（図５のＳＴ６２のＹＥＳ，ＳＴ６３）。閲覧できない場合もある（ＳＴ６７）。
【００５３】
また、クライアント機２５において、個別店舗情報（責任者用情報）の閲覧途中に、店舗ＩＤ等入力手段２７を用いての店舗ＩＤおよび店舗パスワードを入力（ＳＴ６４のＹＥＳ）することができる。
【００５４】
すなわち、個人承認後情報開示手段（責任者用Ｗｅｂ機能）が働き（図８のＳＴ７５）、しかる後に当該クライアント機２５から店舗ＩＤおよび店舗パスワードを受信（図１０のＳＴ７５１でＹＥＳ）した場合には、店舗Ｗｅｂサーバ３０の制御部は、本部Ｗｅｂサーバ（４０）に問合せ（アクセス）する（ＳＴ７５２）。
【００５５】
これに対して本部Ｗｅｂサーバ（４０）の承認を得られた場合（ＳＴ７５３のＹＥＳ）は、本部Ｗｅｂサーバ（４０）にリンク（ＳＴ７５４）される。すなわち、本部Ｗｅｂ機能が有効となる（図１１のＳＴ１０４，ＳＴ１０５）。
【００５６】
かくして、当該クライアント機２５において、当該店舗Ｗｅｂサーバ５０を介しての本部Ｗｅｂ機能で全店舗情報ファイル４５に格納されている全店舗情報を閲覧できる（図５のＳＴ６５のＹＥＳ，ＳＴ６６）。
【００５７】
なお、承認されない場合（図１０のＳＴ７５３でＮＯ）は、拒絶（ＳＴ７５５）される。また、終了させると（ＳＴ７５６のＹＥＳ）、図８の責任者用Ｗｅｂ機能（ＳＴ７５）にリターンされる。
【００５８】
個人承認ファイル５１には、個人承認設定指令（図９のＳＴ９０でＹＥＳ）後に、入力（ＳＴ９１でＹＥＳ）された個人承認情報（個人名ごとの個人ＩＤおよび個人パスワード）が設定記憶（ＳＴ９２）される。
【００５９】
また、個人用情報加工処理手段は、責任者用情報加工処理手段および社員用情報加工処理手段とからなり、ストアサーバ（ＳＡ）３０から取得（ＳＴ８０でＹＥＳ，ＳＴ８１，ＳＴ８２）した店舗情報を個別店舗情報に加工処理する。すなわち、責任者用情報加工処理手段（制御部）は、責任者用情報に加工して責任者用情報ファイル５５に格納（ＳＴ８３）する。また、社員用情報加工処理手段（制御部）は、社員用情報に加工しておよび社員用情報ファイル５６に格納（ＳＴ８４）する。
【００６０】
責任者用情報加工処理手段（社員用情報加工処理手段）は、全店データ通信回線網３および店内データ通信回線網２を介して本部Ｗｅｂサーバ（４０）から取得（ＳＴ８５でＹＥＳ，ＳＴ８６，ＳＴ８７）した全店舗情報の一部（または、全部）を利用して、責任者用情報（社員用情報）に加工処理することができかつ責任者用情報ファイル５５（社員用情報ファイル５６）に格納［ＳＴ８８（ＳＴ８９）］することができる。つまり、ストアサーバ３０側から取得した生の店舗情報から責任者用情報（社員用情報）に加工するのでなく、生の店舗情報を本部Ｗｅｂサーバ（４０）側において半加工された全店舗情報の全部（または、一部）を利用（図１の１点鎖線を参照）して、責任者用情報（社員用情報）に加工すればよい。例えば、店舗別売上情報は、本部Ｗｅｂサーバ（４０）側で集計等されたものをそのまま利用でき得る。
【００６１】
また、クライアント機２５は、図６に示す入力画面（ユーザー認証画面）にしたがってかつ店舗ＩＤ等入力手段２７を用いて店舗ＩＤおよび店舗パスワードを入力（図４のＳＴ５０でＹＥＳ）すると、制御部が本部Ｗｅｂサーバ（４０）にアクセス（問合せ）する（ＳＴ５１）。
【００６２】
本部Ｗｅｂサーバ（４０）では、クライアント機２５からの要求を受けかつ当該店舗ＩＤおよび店舗パスワードを取得する（図１１のＳＴ１００でＹＥＳ，ＳＴ１０１）と、店舗承認判別手段（制御部）が、店舗承認ファイル４１を参照（ＳＴ１０２）して店舗の承認を判別する（ＳＴ１０３）。
【００６３】
店舗用として承認された場合（ＳＴ１０３のＹＥＳ）は、全店舗情報ファイル４５に記憶されている全店舗情報を当該クライアント機２５に開示する店舗承認後情報開示手段（本部Ｗｅｂ機能）が働く（ＳＴ１０５）。なお、承認できないときは、閲覧を拒絶（ＳＴ１０６）する。
【００６４】
かくして、クライアント機２５側のブラウザーを介して全店舗情報を閲覧することができる（図４のＳＴ５２のＹＥＳ，ＳＴ５３）。図７に示す画面から全店舗情報中の任意の情報（例えば、店長報告業務）を選択して当該情報を閲覧する。閲覧できない場合もある（ＳＴ５７）。
【００６５】
また、当該クライアント機２５において、全店舗情報の閲覧途中に、個人ＩＤ等入力手段２６を用いての個人ＩＤおよび個人パスワードを入力（ＳＴ５４のＹＥＳ）することができる。一旦終了（ＳＴ５８のＹＥＳ）した場合は、店舗ＩＤ等の入力（ＳＴ５０のＹＥＳ）を経由して個人ＩＤおよび個人パスワードを入力（ＳＴ５４のＹＥＳ）することができる。
【００６６】
また、店舗承認後情報開示手段（本部Ｗｅｂ機能）が働き（図１１のＳＴ１０５）、しかる後に当該クライアント機２５から個人ＩＤおよび個人パスワードを受信（図１３のＳＴ１０５１でＹＥＳ）された場合には、本部Ｗｅｂサーバ（４０）の制御部は、当該店舗Ｗｅｂサーバ３０に問合せ（アクセス）する（ＳＴ１０５２）。
【００６７】
これに対して当該店舗Ｗｅｂサーバ３０の承認を得られた場合（ＳＴ１０５３のＹＥＳ）は、当該店舗Ｗｅｂサーバ３０にリンク（ＳＴ１０５４）される。すなわち、店舗Ｗｅｂ機能（責任者用Ｗｅｂ機能）が有効となる（図８のＳＴ７４，ＳＴ７５）。
【００６８】
かくして、当該クライアント機２５において、本部Ｗｅｂサーバ（４０）を介しての店舗Ｗｅｂ機能（責任者用Ｗｅｂ機能）で責任者用情報ファイル５５に格納されている責任者用情報を閲覧できる（図４のＳＴ５５でＹＥＳ，ＳＴ５６）。
【００６９】
なお、承認されない場合（図１３のＳＴ１０５３でＮＯ）は、拒絶（ＳＴ１０５５）される。また、終了させると（ＳＴ１０５６のＹＥＳ）、図１１の本部Ｗｅｂ機能（ＳＴ１０５）にリターンされる。
【００７０】
店舗承認ファイル４１には、店舗承認設定指令（図１２のＳＴ１１５でＹＥＳ）後に、入力（ＳＴ１１６でＹＥＳ）された店舗承認情報（店舗名ごとの店舗ＩＤおよび店舗パスワード）が設定記憶（ＳＴ１１７）される。
【００７１】
また、全店舗情報加工処理手段（制御部）は、ストアサーバ（ＳＡ）３０から取得（ＳＴ１０７でＹＥＳ，ＳＴ１０８，ＳＴ１０９）した各店舗情報を全店舗用情報に加工して全店舗情報ファイル４５に格納（ＳＴ１１０）する。
【００７２】
また、全店舗情報加工処理手段は、全店データ通信回線網３および店内データ通信回線網２を介して各店舗Ｗｅｂサーバ３０から取得（ＳＴ１１１でＹＥＳ，ＳＴ１１２，ＳＴ１１３）した各店舗情報（責任者用情報，社員用情報）の一部（または、全部）を利用（図１の１点鎖線を参照）して、全店舗情報に加工処理することができ、かつ全店舗情報ファイル４５に格納することができる（ＳＴ１４４）。
【００７３】
つまり、ストアサーバ３０側から取得した生の各店舗情報から全店舗情報に加工するのでなく、生の各店舗情報を各店舗Ｗｅｂサーバ３０側において半加工された個別店舗情報の全部（または、一部）を利用して、全店舗情報に加工すればよい。例えば、全店舗時間帯別売上情報は、各店舗Ｗｅｂサーバ側で集計等された当該各時間帯別売上情報をそのまま合計するだけでよくなる。
【００７４】
この実施形態では、この本部Ｗｅｂサーバ（４０）では、全店舗情報加工処理手段が、各ストアサーバ３０から取得した店舗売上情報を含む店舗情報をクライアント機２５のブラウザーを介して閲覧可能な全店舗情報にデータ処理加工する。この加工された全店舗情報は全店舗情報ファイル４５に格納される。
【００７５】
店舗承認判別手段は、クライアント機２５からのアクセスに対して店舗承認ファイル４５を参照して、当該クライアント機２５から取得した店舗ＩＤおよび店舗パスワードを承認するか否かを判別する。当該店舗ＩＤおよび店舗パスワードを承認すると判別された場合に、店舗承認後情報開示手段が、当該クライアント機２５に全店舗情報ファイル４５に格納されている全店舗情報を開示する。
【００７６】
また、店舗Ｗｅｂサーバ５０では、当該ストアサーバ３０から店舗売上情報を含む店舗情報を取得すると、責任者用情報加工処理手段が、クライアント機２５のブラウザーを介して閲覧可能な責任者用情報にデータ処理加工する。加工された責任者用情報は、責任者用情報ファイル５５に格納される。また、社員用情報加工処理手段は、社員用情報にデータ処理加工する。加工された社員用情報は社員用情報ファイル５６に格納される。
【００７７】
個人承認判別手段は、クライアント機２５からのアクセスに対して個人承認ファイル５１を参照して当該クライアント機２５から取得した個人ＩＤおよび個人パスワードを承認するか否かを判別する。承認するとの判別された場合に、個人承認後情報開示手段は、承認された個人ＩＤおよび個人パスワードに対応する個別店舗情報つまり責任者用情報ファイル５５に格納されている責任者用舗情報または社員用情報ファイル５６に格納されている社員用情報を当該クライアント機２５に開示する。
【００７８】
ブラウザーを介した全店舗情報を閲覧するためには、クライアント機２５から本部Ｗｅｂサーバ（４０）へのアクセスに際して、当該クライアント機２５内の店舗ＩＤ等入力手段２７を用いて店舗ＩＤおよび店舗パスワードを入力する。また、ブラウザーを介した個別店舗情報を閲覧するためには、クライアント機２５から店舗Ｗｅｂサーバ５０へのアクセスに際して、当該クライアント機内の個人ＩＤ等入力手段２６を用いて個人ＩＤおよび個人パスワードを入力する。
【００７９】
したがって、店舗ＩＤ・店舗パスワードおよび個人ＩＤ・個人パスワードのメンテナンスや承認処理や全店舗情報および各店舗情報のデータ処理加工を本部Ｗｅｂサーバ（４０）と店舗Ｗｅｂサーバ５０とで分散処理できるから、本部Ｗｅｂサーバ（４０）側では数の少ない店舗ＩＤおよび店舗パスワードのメンテナンスや承認処理を含むセキュリティ処理を行えばよいのでその負担を大幅に軽減できる。
【００８０】
また、各クライアント機２５が必要時に全店舗情報および／または個別店舗情報を閲覧できかつ当該各店舗情報についてはリアルタイム的に閲覧できるから有用性を一段と高められるとともに、店舗ＩＤ等入力手段２７を用いて店舗ＩＤ等および個人ＩＤ等入力手段２６を用いて個人ＩＤ等を入力するだけでよいから、取扱いが簡単である。しかも、店舗機（３０）と本部機４０との本来的な店舗情報の円滑な送受信を担保でき、全店データ通信回線網３の混雑や設備コスト高を招く虞を一掃化できる。
【００８１】
また、店舗Ｗｅｂサーバ５０は、当該ストアサーバ３０から取得した店舗売上情報を含む店舗情報をクライアント機２５のブラウザーを介して閲覧可能な責任者用情報および社員用情報にデータ処理加工して格納するとともに、クライアント機２５からのアクセスに対して当該個人ＩＤおよび個人パスワードを承認するか否かを判別しかつ承認するとの判別をした場合に当該クライアント機２５に承認した個人ＩＤおよび個人パスワードによって責任者用情報または社員用情報を開示するように形成されているので、各店舗内におけるセキュリティ保護の万全を期することができかつ適応性を拡大できる。
【００８２】
また、本部Ｗｅｂサーバ（４０）側の店舗承認後情報開示手段は、クライアント機２５から取得した店舗ＩＤおよび店舗パスワードが承認された後に、当該クライアント機２５から個人ＩＤおよび個人パスワードが入力された場合には当該店舗Ｗｅｂサーバ５０側の承認を得て責任者用情報ファイル５５に格納されている責任者用情報を当該クライアント機２５に開示可能に形成されているので、クライアント機２５において本部Ｗｅｂサーバ（４０）との接続を解いた後に改めて店舗Ｗｅｂサーバ５０へアクセスしなくてもよい。したがって、責任者は本部Ｗｅｂサーバ（４０）側の全店舗情報および店舗Ｗｅｂサーバ５０側の責任者用情報を同一画面（２８）上で連続的に閲覧することができる。
【００８３】
また、店舗Ｗｅｂサーバ５０側の個人承認後情報開示手段は、クライアント機２５から取得した個人ＩＤおよび個人パスワードが承認された後に、当該クライアント機２５から店舗ＩＤおよび店舗パスワードが入力された場合には本部Ｗｅｂサーバ（４０）側の承認を得て全店舗情報ファイル４５に格納されている全店舗情報を当該クライアント機２５に開示可能に形成されているので、クライアント機２５において店舗Ｗｅｂサーバ５０との接続を解いた後に改めて本部Ｗｅｂサーバ（４０）へアクセスしなくてもよい。したがって、責任者は店舗Ｗｅｂサーバ５０側の責任者用情報および本部Ｗｅｂサーバ（４０）側の全店舗情報を例えば同一画面（２８）上で連続的に閲覧することができる。
【００８４】
また、本部Ｗｅｂサーバ（４０）側の全店舗情報加工処理手段は、全店データ通信回線網３および店内データ通信回線網２を介して各店舗Ｗｅｂサーバ５０から取得した責任者用情報および社員用情報の全部または一部を利用して、全店舗情報に加工処理することができる。つまり、ストアサーバ３０側から取得した生の各店舗情報から全店舗情報に加工するのでなく、生の各店舗情報を各店舗Ｗｅｂサーバ５０側において半加工された責任者用情報および社員用情報の全部（または、一部）を利用して、全店舗情報に加工すればよい。例えば、全店舗時間帯別売上情報は、各店舗Ｗｅｂサーバ５０側で集計等された時間帯別売上情報をそのまま合計するだけでよくなる。したがって、全店舗情報加工処理手段つまりは本部Ｗｅｂサーバ（４０）の処理負担をより大幅に軽減できるとともに、情報開示の急速化および正確性を促進できる。
【００８５】
【発明の効果】
請求項１の発明によれば、ストアサーバに全店データ通信回線網を介して各店舗ＩＤ等の管理機能を有する本部Ｗｅｂサーバを接続するとともに、店内データ通信回線網に各個人ＩＤ等の管理機能を有する店舗Ｗｅｂサーバおよびクライアント機を接続し、本部Ｗｅｂサーバが各ストアサーバから取得した店舗情報をクライアント機のブラウザーを介して閲覧可能な全店舗情報にデータ処理加工して格納可能であるとともに、クライアント機からのアクセスに対して当該店舗ＩＤ等を承認するとの判別をした場合に当該クライアント機に全店舗情報を開示可能に形成され、店舗Ｗｅｂサーバが当該ストアサーバから取得した店舗情報をクライアント機のブラウザーを介して閲覧可能な個別店舗情報にデータ処理加工して格納可能であるとともに、クライアント機からのアクセスに対して当該個人ＩＤ等を承認するとの判別をした場合に当該クライアント機に個別店舗情報を開示可能に形成され、クライアント機がブラウザーを介した全店舗情報を閲覧するための本部Ｗｅｂサーバへのアクセスに際して店舗ＩＤ等を入力可能かつ個別店舗情報を閲覧するための店舗Ｗｅｂサーバへのアクセスに際して個人ＩＤ等を入力可能に形成された商品販売データ処理システムであるから、店舗ＩＤ・店舗パスワードおよび個人ＩＤ・個人パスワードのメンテナンスや承認処理や全店舗情報および個別店舗情報のデータ処理加工を本部Ｗｅｂサーバと店舗Ｗｅｂサーバとで分散処理できる。よって、本部Ｗｅｂサーバ側では数の少ない店舗ＩＤおよび店舗パスワードのメンテナンスや承認処理を含むセキュリティ処理を行えばよいのでその負担を大幅に軽減できるとともに、各クライアント機が必要時に全店舗情報および／または個別店舗情報を閲覧できかつ当該個別店舗情報についてはリアルタイム的に閲覧できるから有用性を一段と高められる。しかも、店舗機と本部機との本来的な店舗情報の円滑な送受信を担保でき、全店データ通信回線網の混雑や設備コスト高を招く虞を一掃化できる。
【００８６】
また、請求項２の発明によれば、個別店舗情報が責任者用情報および社員用情報から形成されているので、請求項１の発明の場合と同様な効果を奏することができることに加え、さらに各店舗内におけるセキュリティ保護の万全を期することができかつ適応性を拡大できる。
【００８７】
また、請求項３の発明によれば、ストアサーバに全店データ通信回線網を介して本部Ｗｅｂサーバを接続するとともに店内データ通信回線網に店舗Ｗｅｂサーバおよびクライアント機を接続し、本部Ｗｅｂサーバに全店舗情報加工処理手段，全店舗情報ファイル，店舗承認ファイル等を設け、店舗Ｗｅｂサーバに責任者用情報加工処理手段等，責任者用情報ファイル等，個人承認ファイル等を設け、さらにクライアント機に店舗ＩＤ等入力手段，個人ＩＤ等入力手段を設け、各店舗内のクライアント機においてＩＤ等を入力するだけで、本部Ｗｅｂサーバ側の全店舗情報および店舗Ｗｅｂサーバ側の個別店舗情報を閲覧可能に形成され商品販売データ処理システムであるから、店舗ＩＤ・店舗パスワードおよび個人ＩＤ・個人パスワードのメンテナンスや承認処理や全店舗情報および個別店舗情報のデータ処理加工を本部Ｗｅｂサーバと店舗Ｗｅｂサーバとで分散処理できる。よって、本部Ｗｅｂサーバ側では数の少ない店舗ＩＤおよび店舗パスワードのメンテナンスや承認処理を含むセキュリティ処理を行えばよいのでその負担を大幅に軽減できる。また、各クライアント機が必要時に全店舗情報および／または個別店舗情報を閲覧できかつ当該個別店舗情報についてはリアルタイム的に閲覧できるから有用性を一段と高められるとともに、店舗ＩＤ等入力手段を用いて店舗ＩＤ等および個人ＩＤ等入力手段を用いて個人ＩＤ等を入力するだけでよいから、取扱いが簡単である。しかも、店舗機と本部機との本来的な店舗情報の円滑な送受信を担保でき、全店データ通信回線網の混雑や設備コスト高を招く虞を一掃化できる。
【００８８】
さらに、請求項４の発明によれば、本部Ｗｅｂサーバ側の店舗承認後情報開示手段がクライアント機から取得した店舗ＩＤ等が承認された後に当該クライアント機から個人ＩＤ等が入力された場合に当該店舗Ｗｅｂサーバ側の承認を得て責任者用情報を当該クライアント機に開示可能に形成されているので、請求項３の発明の場合と同様な効果を奏することができることに加え、さらに責任者は本部Ｗｅｂサーバ側の全店舗情報および店舗Ｗｅｂサーバ側の責任者用情報を例えば同一画面上で連続的に閲覧することができる。
【００８９】
さらに、請求項５の発明によれば、各店舗Ｗｅｂサーバ側の個人承認後情報開示手段がクライアント機から取得した個人ＩＤ等が承認された後に当該クライアント機から店舗ＩＤ等が入力された場合に本部Ｗｅｂサーバ側の承認を得て全店舗情報を当該クライアント機に開示可能に形成されているので、請求項４の発明の場合と同様な効果を奏することができることに加え、さらに責任者は店舗Ｗｅｂサーバ側の責任者用情報および本部Ｗｅｂサーバ側の全店舗情報を例えば同一画面上で連続的に閲覧することができる。
【００９０】
さらにまた、請求項６の発明によれば、全店舗情報加工処理手段が店舗Ｗｅｂサーバから取得した責任者用情報および社員用情報を利用して全店舗情報を加工処理可能に形成されているので、請求項３から請求項５までの各発明の場合と同様な効果を奏することができることに加え、さらに全店舗情報加工処理手段つまりは本部Ｗｅｂサーバの処理負担をより大幅に軽減できるとともに、情報開示の急速化および正確性を促進できる。
【図面の簡単な説明】
【図１】本発明の実施形態を示すブロック図である。
【図２】同じく、ＰＯＳサーバ側の動作を説明するためのフローチャートである。
【図３】同じく、ストアサーバ側の動作を説明するためのフローチャートである。
【図４】同じく、クライアント機側の動作を説明するためのフローチャート（１）である。
【図５】同じく、クライアント機側の動作を説明するためのフローチャート（２）である
【図６】同じく、クライアント機側のＩＤ等の入力画面例を説明するための図である。
【図７】同じく、クライアント機側のブラウザーによる責任者用情報の選択画面例を説明するための図である。
【図８】同じく、店舗Ｗｅｂサーバ側の動作を説明するためのフローチャート（１）である。
【図９】同じく、店舗Ｗｅｂサーバ側の動作を説明するためのフローチャート（２）である。
【図１０】同じく、店舗Ｗｅｂサーバ側の動作を説明するためのフローチャート（３）である。
【図１１】同じく、本部Ｗｅｂサーバ側の動作を説明するためのフローチャート（１）である。
【図１２】同じく、本部Ｗｅｂサーバ側の動作を説明するためのフローチャート（２）である。
【図１３】同じく、本部Ｗｅｂサーバ側の動作を説明するためのフローチャート（３）である。
【図１４】従来例を説明するための図である。
【符号の説明】
１，２  店舗内データ通信回線網
３  全店データ通信回線網
１０  ＰＯＳターミナル
２０  ＰＯＳサーバ
３０  ストアサーバ
３１  店舗ファイル
４０  本部機（本部Ｗｅｂサーバ）
４１  店舗承認ファイル
４５  全店舗情報ファイル
５０  店舗Ｗｅｂサーバ
５１  個人承認ファイル
５５  責任者用情報ファイル
５６  社員用情報ファイル
【図１】
0003587726.tif 000002
【図２】
0003587726.tif 000003
【図３】
0003587726.tif 000004
【図４】
0003587726.tif 000005
【図５】
0003587726.tif 000006
【図６】
0003587726.tif 000007
【図７】
0003587726.tif 000008
【図８】
0003587726.tif 000009
【図９】
0003587726.tif 000010
【図１０】
0003587726.tif 000011
【図１１】
0003587726.tif 000012
【図１２】
0003587726.tif 000013
【図１３】
0003587726.tif 000014
【図１４】
0003587726.tif 000015